(57)【特許請求の範囲】
【請求項１】
パチンコ球を貯留する皿部と、該皿部のパチンコ球を一列に整列して打球供給装置の供給口へ導く整流通路と、該整流通路の終端に設けられた球抜口と、該球抜口を開閉するシャッター板と、該シャッター板を球抜口の閉鎖位置又は開放位置に移動させる操作部材とを有するパチンコ機の打球供給皿において、
前記整流通路の終端上面に球均し板を上方へ回動可能に設けると共に、該球均し板に係合部を設け、
前記操作部材には、球抜口のシャッター板を閉鎖位置に移動させた状態のとき球均し板の係合部に係合して該球均し板を整流位置又は回動位置に拘束し、球抜口のシャッター板を開放位置に移動させた状態のとき、球均し板の拘束を解除する係合ピンを設けてなることを特徴とするパチンコ機の打球供給皿。
【請求項２】
皿部は一端から他側端に向かって底面が緩やかに下り傾斜すると共に、その下流側に誘導側壁を介して段状に高く形成した球圧受部と、該球圧受部の誘導側壁によって順次幅狭に形成され、パチンコ球を一列に整列して流下させる整流通路が形成され、かつ球均し板は球圧受部と整流通路の両方の上面を覆うように幅広に形成した請求項１記載のパチンコ機の打球供給皿。
【請求項３】
球均し板によって覆われる球圧受部の上面に整流通路と連通する凹部を形成した請求項２記載のパチンコ機の打球供給皿。
【請求項４】
球均し板と、整流通路のパチンコ球を打球供給装置の供給口へ導く流路変更用ガイドとを一体に設けた請求項１，２又は３記載のパチンコ機の打球供給皿。
【請求項５】
球均し板によって覆われる球圧受部の上面に整流通路と連通する凹部を形成し、該凹部の底面をアール状に形成すると共に、球均し板の下面を凹部と合致する形状に形成した請求項２，３又は４記載のパチンコ機の打球供給皿。
【請求項６】
球均し板によって覆われる球圧受部の上面にパチンコ機前面の下部球皿と連通する球落下孔を開設した請求項２，３，４又は５記載のパチンコ機の打球供給皿。
【発明の詳細な説明】
【０００１】
【発明の属する技術分野】
本発明は、整流通路を流下するパチンコ球が上下に積み重なるのを防ぐための球均し板を備えたパチンコ機の打球供給皿に関するものである。
【０００２】
【従来の技術】
従来、パチンコ球を一列に整列して流下させる整流通路に球均し板を設け、該球均し板を摺動又は回動させることによって整流通路の終端部分の拭き掃除が容易に行なえるようにしたパチンコ機の球皿構造が知られている（例えば特開平６−２１００５９号公報参照）。
【０００３】
【発明が解決しようとする課題】
上記した従来のパチンコ機の球皿構造は、球均し板と整流通路の終端に設けられた球抜き用のシャッター板を開閉操作する球抜き操作レバーとが連結されており、球抜き操作レバーを球抜き操作することによって球均し板が摺動又は回動されるようになっている。
【０００４】
このため、球均し板を摺動又は回動させるとシャッター板が球皿の装飾カバー内に引込んでしまうため、シャッター板の上面を拭き掃除することができないという問題点があった。特にシャッター板の上面は汚れが付着し易く、しかも整流通路のパチンコ球を打球供給装置の供給口へ導くために最も円滑な流れが要求される部分であり、頻繁に拭き掃除を行う必要がある。
【０００５】
本発明は、上記した問題点に鑑みてなされたもので、その目的とするところは、シャッター板の上面を含む整流通路の終端部分を容易に拭き掃除することができ、しかもその拭き取り作業が楽にできるようなパチンコ機の打球供給皿を提供しようとするものである。
【０００６】
【課題を解決するための手段】
上記目的を達成するために、本発明は、パチンコ球を貯留する皿部と、該皿部のパチンコ球を一列に整列して打球供給装置の供給口へ導く整流通路と、該整流通路の終端に設けられた球抜口と、該球抜口を開閉するシャッター板と、該シャッター板を球抜口の閉鎖位置又は開放位置に移動させる操作部材とを有するパチンコ機の打球供給皿において、前記整流通路の終端上面に球均し板を上方へ回動可能に設けると共に、該球均し板に係合部を設け、前記操作部材には、球抜口のシャッター板を閉鎖位置に移動させた状態のとき球均し板の係合部に係合して該球均し板を整流位置又は回動位置に拘束し、球抜口のシャッター板を開放位置に移動させた状態のとき、球均し板の拘束を解除する係合ピンを設けたものである。
【０００７】
前記皿部は、一端から他側端に向かって底面が緩やかに下り傾斜すると共に、その下流側に誘導側壁を介して段状に高く形成した球圧受部と、該球圧受部の誘導側壁によって順次幅狭に形成され、パチンコ球を一列に整列して流下させる整流通路が形成され、かつ球均し板は球圧受部と整流通路の両方の上面を覆うように幅広に形成するのが好ましい。
【０００８】
前記整流通路の終端部分に指や掃除具を差し込み易くするために、球均し板によって覆われる球圧受部の上面に整流通路と連通する凹部を形成するとよい。
【０００９】
また、整流通路のパチンコ球を打球供給装置の供給口へ導く流路変更用ガイドを容易に拭き掃除できるようにするために、球均し板と流路変更用のガイドとを一体に設けるのが好ましい。
【００１０】
さらに、球均し板の下面と球圧受部の上面との間にパチンコ球が噛み込まないようにするために、球圧受部に形成した凹部の底面をアール状に形成し、球均し板の下面を凹部と合致する形状に形成するとよい。
【００１１】
また、同じ目的で球圧受部の上面にパチンコ機前面の下部球皿と連通する球落下孔を開設するようにしてもよい。
【００１２】
【発明の実施の形態】
次に、本発明の実施の形態について図面を参照して説明する。図１はパチンコ機の正面図であり、１はパチンコ機の機枠、２は機枠１の前面に開閉自在に装着された前面枠である。該前面枠２は、ほぼ中央に窓孔が設けられた額縁状に形成されており、その窓孔の一側にガラス扉３と前面板４とが開閉自在に装着されている。また、ガラス扉３の後方であり、かつ窓孔の裏面部分には遊技盤５が着脱自在に装着されている。６は前面板４の前面に装着された打球供給皿、７は前面枠２の下部に装着された下部球受皿、８は打球発射用の操作ハンドルである。
【００１３】
図２は打球供給皿６の斜視図、図３はその分解斜視図である。打球供給皿６は図２及び図３に示すように前面板４の前面に取付ける飾りベース９にパチンコ球を貯留する皿部１０と該皿部１０の前面上部を覆う装飾カバー１１とを一体に組付けて構成されている。
【００１４】
前記皿部１０は、飾りベース９に開設した景品球排出口１２が臨む一端から他側端に向かって底面が緩るやかに下り傾斜すると共に、その下流側に誘導側壁１３を介して段状に高く形成した球圧受部１４と、該球圧受部１４の誘導側壁１３によって順次幅狭に形成されパチンコ球を一列に整列して流下させる整流通路１５が形成されている。この整流通路１５の終端には流路変更用ガイド１６が形成されており、整流通路１５のパチンコ球を飾りベース９の供給口１７から前面板４の裏面側に設けられる図示しない打球供給装置へ導くようにされている。また、整流通路１５の終端底面には球抜口１８が開設されており、該球抜口１８の下方に下部球受皿７と連通する球抜通路１９が設けられている。
【００１５】
前記球抜口１８には、該球抜口１８を開閉するシャッター板２０が横方向へスライド自在に設けられている。また、球抜口１８より前部寄りに位置した皿部１０の上面壁１０ａ部分には透孔２２が開設されており、該透孔２２に球抜用の操作部材２１が設けられている。この操作部材２１は、図４及び図５に示すように押圧部２１ａが透孔２２から上方へ突出し、下部側片２１ｂが皿部１０の前面側に位置する中空部内に臨まされている。そして、下部側片２１ｂには、突起部２１ｃと軸孔２１ｄが設けられており、該軸孔２１ｄを皿部１０に突設した軸２３に挿通することにより上下方向へ回動自在に軸支されている。
【００１６】
前記操作部材２１の下方であり、かつ皿部１０の裏面側に位置する中空部内には作動レバー２４の上端が軸２５を介して回動自在に軸支されており、該作動レバー２４の下端の縦長孔２６にシャッター板２０のスライドピン２７を係合させている。また、作動レバー２４の上下ほぼ中間には押圧腕部２８が突設されており、該押圧腕部２８を開口孔２９から前面側に臨ませて操作部材２１の突起部２１ｃ下端に接触状に位置させている。また、作動レバー２４にはスプリング３０の一端が接続されており、このスプリング３０の付勢力によってシャッター板２０を常に球抜口１８を閉鎖する方向に付勢すると共に、操作部材２１を上方に回動付勢するようになっている。
【００１７】
このため、遊技者が図６鎖線のように操作部材２１を押すと、これの突起部２１ｃで作動レバー２４の押圧腕部２８が上方から押されて該作動レバー２４がスプリング３０の付勢力に抗して軸２５を支点に回動し、その縦長孔２６を介してシャッター板２０のスライドピン２７を横方向へスライドさせる。これによって、シャッター板２０が同図鎖線のように球抜口１８から引込んで該球抜口１８を開放し、皿部１０のパチンコ球を球抜通路１９を介して下部球受皿７に流出させて全て抜取ることができる。
【００１８】
しかして、前記皿部１０の下流側には整流通路１５を流下するパチンコ球が上下に積み重なるのを防ぐ球均し板３３が設けられている。この球均し板３３は図４に示すように球圧受部１４と整流通路１５の両方の上面を覆うように幅広に形成されており、これの一端に軸挿通孔３２を有する筒部３４が形成されている。そして、皿部１０に設けられた回動支軸３５に筒部３４の軸挿通孔３２を挿通することにより球均し板３３を上下方向へ回動可能に軸支している。
【００１９】
また、球均し板３３には作動レバー２４に一端を接続したスプリング３０の他端が接続されており、このスプリング３０の付勢力により球均し板３３を常に下向きに回動付勢して球圧受部１４の上面に接触状に位置させている。また、球均し板３３の下面にはパチンコ球の流下方向に向かう下り傾斜面を有し、かつ整流通路１５の上面に臨む球均し突部３１が形成されており、この球均し突部３１の傾斜面によって図６に示すようにパチンコ球が積み重なった状態で流れてきてもその積み重なったパチンコ球を整流通路１５に戻して正しく一列に整列させることができるようになっている。
【００２０】
前記球均し板３３の筒部３４には、該球均し板３３と反対方向に係合部３６が一体に突設されており、この係合部３６の側面に球均し板３３の回動支軸３５を中心とする円弧状の開口溝３７が形成されている。
【００２１】
一方、前記操作部材２１の下部側片２１ｂであり、かつ軸２３より下方位置に係合ピン３８が突設されている。この係合ピン３８は、球抜口１８のシャッター板２０が閉鎖位置にあるとき図７に示すように係合部３６の下面に係合して球均し板３３を整流位置に拘束し、又は図８に示すように係合部３６の上面に係合して球均し板３３を回動位置に拘束するように設けられている。また、図９に示すように操作部材２１を押して球抜口１８のシャッター板２０を開放位置に移動させることにより係合部３６の開口溝３７の回動軌跡上に位置するようになっている。
【００２２】
このように構成された本発明に係るパチンコ機の打球供給皿６は、皿部１０にパチンコ球が貯留され該皿部１０に貯留されたパチンコ球は底面の下り傾斜により整流通路１５で次第に一列に整列されて供給口１７から打球供給装置に導かれる。この状態のとき図７に示すように操作部材２１の係合ピン３８が球均し板３３の係合部３６下面に係合して該球均し板３３が上方へ回動できないように拘束されているので、整流通路を流下するパチンコ球の球圧によって球均し板３３が無用に上方へ回動するようなことがなくなり確実に球均し作用が行われることになる。
【００２３】
次に、整流通路１５の終端部分を拭き掃除する場合について説明する。この整流通路１５の終端部分を拭き掃除するには先ず球抜き時と同じ要領で操作部材２１を下方へ押す。操作部材２１を押すと図９に示すように係合ピン３８が球均し板３３の係合部３６下面との係合から外れて開口溝３７の下方に臨む位置に移動する。次に、操作部材２１を押したままの状態で球均し板３３を図９鎖線のように指で上方へ回動すると開口溝３７内を係合ピン３８が通過して該係合ピン３８が係合部３６上面に臨むことになる。
【００２４】
次に、球均し板３３を上方へ回動したままの状態で操作部材２１の押圧を解除すると、スプリング３０の付勢力により作動レバー２４が戻り、シャッター板２０が移動して球抜口１８を閉鎖すると同時に操作部材２１が元の水平状態に回動復帰し、これによって図８に示すように係合ピン３８が係合部３６上面に係合して球均し板３３を回動したままの状態に拘束する。
【００２５】
このため、整流通路１５の終端上面が開放されたままの状態に維持されることになり、整流通路１５の終端部分の拭き掃除を容易に行うことができる。この際にシャッター板２０は球抜口１８を閉鎖する位置に移動しているため、シャッター板２０の上面も容易に拭き掃除することができる。
【００２６】
そして、整流通路１５の終端部分を拭き掃除した後、再び操作部材２１を押すと係合ピン３８が係合部３６上面との係合から外れると同時に球均し板３３がスプリング３０の付勢力によって図９鎖線位置から実線位置に回動すると共に、操作部材２１の押圧を解除することにより作動レバー２４，シャッター板２０が元の状態に復帰する。
【００２７】
なお、この実施の形態の場合、球圧受部１４の側面に凹段部３９が形成され、球均し板３３の下面に凹段部３９に合致する通路壁４０を一体に形成してある。この凹段部３９の形成によって球均し板３３を上方へ回動した際に凹段部３９の形成ぶん整流通路１５の通路幅が広くなって一層拭き掃除が容易にできる。
【００２８】
なお、図１０に示す実施の形態は球均し板３３によって覆われる球圧受部１４の上面に整流通路１５と連通する凹部４１を形成したものである。このように球圧受部１４に凹部４１を形成することによって球均し板３３を上方へ回動した際に整流通路１５の終端部分に指や掃除具等を挿入し易くなり拭き掃除が非常に楽に行うことができる。また、図示のように凹部４１の底面をアール状に形成し、球均し板３３の下面を凹部４１と合致する形状に形成することにより、球均し板３３を上方へ回動したときにパチンコ球が凹部４１に入り込んでも球均し板３３を整流通路１５の上面位置に戻すことによりアール状の底面によって自然に整流通路１５に押し出されるため、球均し板３３の下面と凹部４１との間にパチンコ球が噛み込むようなことがなくなる。
【００２９】
また、図１１に示す実施の形態は球均し板３３と一体に流路変更用ガイド１６を形成するようにしたものである。このように構成することにより流路変更用ガイド１６の拭き掃除が容易に行える。
【００３０】
さらに図１２に示す実施の形態は、球圧受部１４の上面に球抜通路１９を介して下部球受皿７に連通する球落下孔４２を形成したものである。この実施の形態の場合、球均し板３３の下面と凹部４１との間にパチンコ球が入り込んでも球落下孔４２に落下して下部球受皿７に排出されることになるため、球均し板３３の下面にパチンコ球が噛み込むような事態を防ぐことができる。
【００３１】
【発明の効果】
以上説明したように本発明に係るパチンコ機の打球供給皿は、皿部の球抜口を開閉するシャッター板を含む整流通路の終端部分を容易に抜き掃除することができる。
【図面の簡単な説明】
【図１】パチンコ機の正面図である。
【図２】打球供給皿の斜視図である。
【図３】図２の分解斜視図である。
【図４】打球供給皿の要部斜視図である。
【図５】球抜き機構と球均し板の関連構成を説明する斜視図である。
【図６】球抜き時の作用説明図である。
【図７】球均し板を整流位置に拘束した状態を一部断面にして示す正面図である。
【図８】球均し板を回動位置に拘束した状態を一部断面にして示す正面図である。
【図９】球均し板と係合ピンとの係合関係を説明する作用図である。
【図１０】球圧受部の上面に凹部を形成した他の実施の形態の要部斜視図である。
【図１１】球均し板に流路変更用ガイドを一体に設けた他の実施の形態の要部斜視図である。
【図１２】球圧受部に球落下孔を開設した他の実施の形態の要部斜視図である。
【符号の説明】
６          打球供給皿
７          下部球受皿
１０        皿部
１３        誘導側壁
１４        球圧受部
１５        整流通路
１６        流路変更用ガイド
３３        球均し板
３６        係合部
３８        係合ピン
４１        凹部
４２        球落下孔
【図１】
0004077901.tif 000002
【図２】
0004077901.tif 000003
【図３】
0004077901.tif 000004
【図４】
0004077901.tif 000005
【図５】
0004077901.tif 000006
【図６】
0004077901.tif 000007
【図７】
0004077901.tif 000008
【図８】
0004077901.tif 000009
【図９】
0004077901.tif 000010
【図１０】
0004077901.tif 000011
【図１１】
0004077901.tif 000012
【図１２】
0004077901.tif 000013